(57)【要約】【課題】  屋根材の補修を目的に再塗装した後、屋根材の重ね合わせ部の縁切りをおこない、屋根材の重ね合わせ部に常時空間を形成する、縁切り部材を提供することを目的とする。【解決手段】  屋根材の補修を目的に再塗装した後、屋根材の重ね合わせ部に打ち込んだまま使用される縁切り部材であって、板状の本体と、前記本体の底部に少なくとも１箇所以上の凸部と、本体の端部に上方向に形成されたストッパーとで構成している。【選択図】  図５
2005120801.tif 000002
【特許請求の範囲】
【請求項１】
屋根材の補修を目的に再塗装した後、屋根材の重ね合わせ部に打ち込んだまま使用される縁切り部材であって、板状の本体と、前記本体の底部に少なくとも１箇所以上の凸部と、本体の端部に上方向に形成されたストッパーからなることを特徴とする屋根材の縁切り部材。
【請求項２】
屋根材の補修を目的に再塗装した後、屋根材の重ね合わせ部に打ち込んだまま使用される縁切り部材であって、板状の本体と，その本体の組み込み先端部はテーパー形状をなし、対称となる先端部は垂直なストッパーを設け、前記本体の底部には少なくとも１箇所以上の楔形状を設けたことを特徴とする屋根材の縁切り部材。
【請求項３】
屋根材の補修を目的に再塗装した後、屋根材の重ね合わせ部に打ち込んだまま使用される縁切り部材であって，板状の本体と，その本体の組みこみ先端部はテーパー形状をなし，対称となる先端部には垂直なストッパーを設け、前記本体の上下面間に空間を設け、下面底部には少なくとも１箇所以上の楔形状を設けたことを特徴とする屋根材の縁切り部材。
【請求項４】
屋根材の補修を目的に再塗装した後、屋根材の重ね合わせ部に打ち込んだまま使用される縁切り部材であって、板状の本体と、その本体の組み込み先端部はテーパー状をなし、対称となる先端部は垂直なストッパーを設け、前記本体の底部には少なくとも一箇所以上の凹部を設けることを特徴とする屋根材の縁切り部材。
【発明の詳細な説明】
【技術分野】
【０００１】  本発明は屋根材を、補修を目的に再塗装する時、屋根材の重ね合せ部における縁切りに関する。
【背景技術】
【０００２】  従来、住宅の屋根材は，野地板に等間隔に重ね合わせ配列し設置される。屋根材は長期間経過すると表面が劣化するので，補修を目的に定期的に，再塗装が行われる。【０００３】  しかしながら，屋根材を再塗装すると，屋根材の水平方向の重ね合わせ部が塗膜で密閉され、屋根材の縦方向の繋ぎ合わせ部の隙間から侵入した雨水等は水平方向の下方部に排出されることなく，水溜まりをつくる。この水溜まりが長期間放置されると、野地板を腐蝕、破損させ，天井の雨漏りにも繋がる。【０００４】  前記のような問題をなくすため、屋根材の重ね合わせ部に補修を目的とした塗装をした時形成される塗膜を切断するため，カッターナイフとか楔等で塗膜を切断するという縁切りが行われていた。【０００５】  更に，塗膜の切断を積極的に行うため，屋根材の重ね合わせ部に，楔形状をした板を打ち込み空間を形成した状態で再塗装を行い，再塗装後楔形状の板を取り外し，重ね合わせ部の塗膜の形成を切断する縁切りの方法もある。【０００６】  しかしながら，従来のカッターナイフ、楔等で塗膜の縁切りを行う作業は塗膜が強固に固まっていたりしている為、多くの労力を費やす上，再塗装膜面を傷つけたり、屋根材をよく破損させるケースも散見される。【０００７】  又，屋根材の重ね合わせ部に楔形状の板を打ち込み，空間をつくる縁切りの方法においても、長期間経過すると，屋根材の反り，だれ，自重により屋根材の水平方向の重ね合せ部の一部が密着し，雨水等が溜まるケースが発生する。【特許文献】特開平１１−４４０７２
【非許文献】
大日本塗料株式会社  カタログ  Ｅ−５８６６．００．９▲１２▼（Ｎ）（９０．５）  カラーベスト塗り替え用塗料
【発明の開示】
【発明が解決しようとする課題】
【０００８】  本発明は，以上のような欠点に鑑み，屋根材の補修を目的に再塗装をした後，屋根材の重ね合わせ部の縁切りを効果的に行うため，重ね合わせ部に常時空間を形成する縁切り部材を提供することを目的としている。【０００９】  本発明の前記ならびにその他の目的と新規な特徴は次の説明を添付図と照らし合わせて読むと，より完全に明らかになるだろう。  ただし、図面はもっぱら解説のためのものであって，本発明の技術的範囲を限定するものではない。
【課題を解決するための手段】
【００１０】  上記目的を達成するために，本発明は屋根材の補修を目的に再塗装をした後，屋根材の重ね合わせ部に打ち込んだまま使用される縁切り部材であって，板状の本体と，前記本体の底部に少なくとも一箇所以上の凸部と，本体の端部の上方向に形成されたストッパーとで縁切り部材を構成している。
【発明の効果】
【００１１】  以上の説明から明らかなように，本発明にあっては次に列挙する効果が得られる。（１）屋根材の補修を目的に再塗装をした後，屋根材の重ね合わせ部に打ち込んだまま使用される縁切り部材であって，板状の本体と，前記本体の底部に少なくとも一箇所以上の凸部と，本体の端部の上方向に形成されたストッパーとで縁切り部材を構成しているので、屋根材の重ね合わせ部に打ち込み、抜き取ることなくそのまま使用することで常時重ね合わせ部に空間が出来る。  したがって，屋根材の繋ぎ合わせ部から侵入してくる雨水等は空間部から排出される。このため、野地板が腐蝕し破損に至り，雨漏れするという懸念は解消される。【００１２】（２）前記（１）によって、縁切り部材の底面には，楔形状の凸部が少なくとも一箇所以上設けられいるので，一度打ち込まれた縁切り部材は楔作用により抜け出すことはない。【００１３】（３）請求項２からは前記（Ｉ），（２）の他、塗装後，縁切り部材を屋根材の重ね合わせ部に打ち込むに当たり、縁切り部材の先端にテーパーが付いていること、さらに垂直形状のストッパーがあるため，本個所をたたくため打ち込みが容易であり、打ち込み過ぎの懸念もなくなる。【００１４】（４）請求項３からは前記（Ｉ），（２）の他，本発明では，縁切り部材の上，下面間に空間を設けているので，屋根材の重ね合わせ部に打ち込むとき，空間部が容易に圧縮され，軽く打ち込むことが出来る。  万一，打ち込んだ後，人がその上に乗ることがあっても，空間部の変形で屋根材を破損さすことはない。【００１５】  （５）請求項４からは、前記（Ｉ）の通り付設する垂直のストッパーをたたくため、打ち込み易い外、次の効果がある。  縦方向の繋ぎ合わせ部から侵入した雨水等が下方向に流れてきた時、縁切り部材底部の凹部に空間部が形成されているため、縁切り部材の底部と屋根材表面部の密着個所に雨水等が溜まることなく排出される。  このため、重ね合わせ部に雨水等が溜まることはないので、野地板に雨水等が侵入し腐蝕、破損を起こし雨漏れ等に繋がる懸念はなくなる。
【発明を実施するための最良の形態】
【００１６】  以下，図面に示す実施するための最良の形態により，本発明を詳細に説明する。【００１７】  図Ｉないし図４は本発明の第１の実施するための最良の形態において，１は屋根材の重ね合わせ部に装入される本体で，本体１は板状をなし，金属、非金属を用い、端部は打ち込みと適正な位置決めのためのストッパーから構成されている。  本体１の打ち込み側の先端部２は，打ち込みを容易にするため，本体１の中間部より縮小された寸法で角形あるいは円形を成している。本体底部には，楔形状３が形成され，屋根材の重ね合わせ部１１に空間部を形成し縁切りを常時おこなう。又，本体の離脱を防止する。【００１８】  次に，図５ないし図１４に示す本発明を実施するための異なる実施の形態につき説明する。尚，これらの発明を実施するための異なる形態の説明にあたって，前記発明の第１の実施するための最良の形態と同一構成部分には同一符号を付して重複する説明を省略する。【００１９】  図５ないし図１０に示す本発明における第２の実施の形態において，前記本発明の第１の実施するための最良の形態と主に異なる点は，本体１は主に樹脂材を用い、先端部２を屋根材の重ね合わせ部に装入し易くするため，テーパー形状１２にしていること、底部には大小の楔形状３（ａ）、３（ｂ）のように順次設けている点である。【００２０】  図７，図８に示す本発明は，本体の底部に分離独立した楔形状６（ａ）、６（ｂ）を複数個設けた点である。【００２１】  図９，図１０に示す本発明は，本体の底部に分離独立した凸部７（ａ）、７（ｂ）、７（ｃ）を設けた点である。【００２２】  図１１，図１２に示す本発明における第３の実施の形態において，前記本発明における第２の実施の形態と主に異なる点は，本体１の内側に空間部９を設けている点である。本体１の上に荷重がかかった時，本個所がバネ性を持つため、装入時には軽荷重で装入が可能で，装着後は底部の楔形状１０の作用で離脱の防止が出来る。  また，屋根材の重ね合わせ部に装着後，その上部を足等で踏みつけた時にも，空間部９の変形により，屋根材の亀裂，破損が防止できる。【００２３】  図１３，図１４は本発明における第４の実施の形態において，前記本発明の第２の実施形態と主に異なる点は，本体１が少なくとも１本以上の棒状材からなり，前記棒状材の周囲には複数個のラッパ形状からなる凸部を設けている点である。【００２４】  図１５，図１６は本発明における第５の実施の形態において、第２の実施の形態と異なる点は、縁切り部材１の底部に凹部１３を設けている点である。本凹部の投影面は屋根材２５の表面とは非接触となっている。このため、屋根材２５の縦方向の繋ぎ合わせ部１４から侵入してきた雨水等は、屋根材の下方向に流れ、凹部１３をなす溝に流れ込み、下方に排出される。【００２５】  第２から第４の実施の形態では装入しやすく，離脱しないと言う作用効果を狙ったものである。【００２６】  尚，これまで図Ｉから図１６の縁切り部材１にはストッパー４がついていたが，縁切り部材１を屋根部材の端面と同位置に打ち込むように冶具等で調整し装入すれば、ストッパー４がなくても前記の作用効果が得られる。【００２７】  以上，図Ｉから図１６までに縁切り部材の構��につき説明した。  以下に，図Ｉから図１６の装着と適用方法につき説明する。【００２８】  前記図１から図１６の縁切り部材は図１７に示す屋根材の補修を目的に再塗装した後，縁切り部材１を手動あるいは自動組み込み機により，ストッパー４に荷重をかけ，図１８の如く屋根材の重ね合わせ部に打ち込み，重ね合わせ部に空間部ができ、縁切りが行われる。【００２９】  本発明では，縁切り部材は，打ち込み装入したら抜き取ることなく装着したままとする。このため，常時屋根材の重ね合わせ部には空間が確保され，縁切り状態が保持される。【００３０】  従来の技術では再塗装後，縁切りがカッターナイフ等で手動あるいはスペサーを装入し，再塗装後抜き取る方法で行われていた。  前記の従来の方法だと，再塗装した後，長期間経過すると，例えば平屋ね材の幅９１０ｍｍの一部が密着し，毛細管現象により，雨水等が野地板に侵入し，野地板を腐蝕，破損からの雨漏りが懸念される。【００３１】  しかし、本発明の縁切り部材は常時装着され縁切りを行うようになっているので、前記のような従来技術の懸念は解消される。【００３２】  図１７は，屋根材２５の重ね合せ部に円切り部材を打ち込む位置の例を示したものである。縁切り部材は屋根材の合わせ部にＩ（ａ）、Ｉ（ｂ）の如く装着してもよく、また，Ｉ（ｃ）、Ｉ（ｄ）あるいはＩ（ｃ）、Ｉ（ｄ）、１（ｅ）のように配置してもよい。
【図面の簡単な説明】
【００３３】
【図１】本発明における第１の実施の形態を示す正面図。
【図２】本発明における第１の実施の形態を示す平面図。
【図３】本発明における第１の実施の形態を示す正面図。
【図４】本発明における第１の実施の形態を示す平面図。
【図５】本発明における第２の実施の形態を示す正面図。
【図６】本発明における第２の実施の形態を示す平面図。
【図７】本発明における第２の実施の形態を示す正面図。
【図８】本発明における第２の実施の形態を示す平面図。
【図９】本発明における第２の実施の形態を示す正面図。
【図１０】本発明における第２の実施の形態を示す平面図。
【図１１】本発明における第３の実施の形態を示す正面図。
【図１２】本発明における第３の実施の形態を示す平面図。
【図１３】本発明における第４の実施の形態を示す正面図。
【図１４】本発明における第４の実施の形態を示す平面図。
【図１５】本発明における第５の実施の形態を示す正面図。
【図１６】本発明における第５の実施の形態に示す平面図。
【図１７】屋根材の再塗装した側面断面図。
【図１８】屋根材の重ね合わせ部への縁切り部材を装着した図。
【図１９】屋根の平面図。
【符号の説明】
【００３４】Ｉ、Ｉ（ａ）、Ｉ（ｂ）、１（ｃ）、Ｉ（ｄ）：縁切り部材２：先端部３、３（ａ）、３（ｂ）、６（ａ）、６（ｂ）、８（ａ）、８（ｂ）、８（ｃ）、１０、：楔形状４：ストッパー５：本体７（ａ）、７（ｂ）、７（ｃ）：凸部９：空間部１１：重ね合わせ部１２：テーパー形状１３：凹部１４：繋ぎ合わせ部２２：屋根２３：野地板２４：再塗装膜２５：屋根材
【図１】
2005120801.tif 000003
【図２】
2005120801.tif 000004
【図３】
2005120801.tif 000005
【図４】
2005120801.tif 000006
【図５】
2005120801.tif 000007
【図６】
2005120801.tif 000008
【図７】
2005120801.tif 000009
【図８】
2005120801.tif 000010
【図９】
2005120801.tif 000011
【図１０】
2005120801.tif 000012
【図１１】
2005120801.tif 000013
【図１２】
2005120801.tif 000014
【図１３】
2005120801.tif 000015
【図１４】
2005120801.tif 000016
【図１５】
2005120801.tif 000017
【図１６】
2005120801.tif 000018
【図１７】
2005120801.tif 000019
【図１８】
2005120801.tif 000020
【図１９】
2005120801.tif 000021